【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
式Ｉ
【化１７５】
2016516879.tif 000001
のブロック共重合体であって、部分
【化１７６】
2016516879.tif 000002
はＣＯ２の交互共重合体及び１つまたは複数のエポキシドを含み、部分
【化１７７】
2016516879.tif 000003
は飽和または不飽和炭化水素からなる、前記ブロック共重合体。
【請求項２】
前記部分
【化１７８】
2016516879.tif 000004
は構造
【化１７９】
2016516879.tif 000005
を有する繰り返し単位を含み、Ｒ１、Ｒ２、Ｒ３及びＲ４は、ポリマー鎖における各発生において、−Ｈ、フッ素、任意に置換されるＣ１−４０脂肪族基、任意に置換されるＣ１−２０複素脂肪族基及び任意に置換されるアリール基からなる群から独立して選択され、Ｒ１、Ｒ２、Ｒ３及びＲ４のいずれか２つまたは３つ以上は、任意に介在原子と一緒になって、１つまたは複数のヘテロ原子を任意に含む１つまたは複数の任意に置換される環を形成してもよい、請求項１に記載のブロック共重合体。
【請求項３】
前記部分
【化１８０】
2016516879.tif 000006
は、二酸化炭素と、エチレンオキシド、プロピレンオキシド、１，２ブテンオキシド、１，２ヘキセンオキシド、Ｃ６−４０アルファオレフィンのオキシド、ブタジエンモノエポキシド、エピクロロヒドリン、グリシドールのエーテルまたはエステル、シクロペンテンオキシド、シクロヘキセンオキシド、３−ビニルシクロヘキセンオキシド、３−エチルシクロヘキセンオキシド、及びそれらのいずれか２つまたは３つ以上の組み合わせからなる群から選択されるエポキシドとの共重合から得られる、請求項１に記載のブロック共重合体。
【請求項４】
前記部分
【化１８１】
2016516879.tif 000007
はプロピレンオキシド由来である、請求項３に記載のブロック共重合体。
【請求項５】
前記共重合体は式Ｐ１ａ
【化１８２】
2016516879.tif 000008
を有し、ここで、ｎは４乃至約５０００の整数であり、
Ｒ１ａは、前記ポリマー鎖における各発生において独立して、−Ｈ、−ＣＨ３、−ＣＨ２ＣＨ３、−ＣＨ２Ｃｌ、−ＣＨ２ＯＲｘ、−ＣＨ２ＯＣ（Ｏ）Ｒｘ及び−（ＣＨ２）ｑＣＨ３からなる群から選択され、各Ｒｘは、Ｃ１−２０脂肪族、Ｃ１−２０複素脂肪族、３乃至１４員炭素環、６乃至１０員アリール、５乃至１０員ヘテロアリール、３乃至１２員複素環からなる群から選択された、独立した、任意に置換された部分であり、ｑは２乃至４０の整数である、請求項１に記載のブロック共重合体。
【請求項６】
前記部分
【化１８３】
2016516879.tif 000009
は、約８０個超の炭素原子を有する炭化水素セグメントを含む、請求項１乃至５のいずれか一項に記載のブロック共重合体。
【請求項７】
【化１８４】
2016516879.tif 000010
は、ポリエチレン（ＰＥ）、ポリプロピレン（ＰＰ）、ポリイソブチレン（ＰＩＢ）、ポリメチルペンテン（ＰＭＰ）、ポリブテン−１（ＰＢ−１）、及び、互いにそれらのいずれかの、または他のオレフィンとの共重合体からなる群から選択された炭化水素セグメントを含む、請求項６に記載のブロック共重合体。
【請求項８】
前記部分
【化１８５】
2016516879.tif 000011
は、Ｃ４乃至Ｃ８０脂肪族基を含む、請求項１乃至５のいずれか一項に記載のブロック共重合体。
【請求項９】
【化１８６】
2016516879.tif 000012
は、飽和Ｃ４乃至Ｃ８０脂肪族基を含む、請求項８に記載のブロック共重合体。
【請求項１０】
【化１８７】
2016516879.tif 000013
は、不飽和Ｃ４乃至Ｃ８０脂肪族基を含む、請求項８に記載のブロック共重合体。
【請求項１１】
【化１８８】
2016516879.tif 000014
は、複数の不飽和Ｃ４乃至Ｃ８０脂肪族基を含む、請求項８に記載のブロック共重合体。
【請求項１２】
【化１８９】
2016516879.tif 000015
は、直鎖Ｃ４乃至Ｃ８０脂肪族基を含む、請求項８に記載のブロック共重合体。
【請求項１３】
【化１９０】
2016516879.tif 000016
は、分岐鎖Ｃ４乃至Ｃ８０脂肪族基を含む、請求項８に記載のブロック共重合体。
【請求項１４】
【化１９１】
2016516879.tif 000017
は、Ｃ４−６分岐鎖脂肪族基、Ｃ７−１２分岐鎖脂肪族基、Ｃ１２−１６分岐鎖脂肪族基、Ｃ１６−２０分岐鎖脂肪族基、Ｃ２０−２４分岐鎖脂肪族基、Ｃ２４−２８分岐鎖脂肪族基、Ｃ２８−３６分岐鎖脂肪族基またはＣ３６−４０分岐鎖脂肪族基、Ｃ４０−６０分岐鎖脂肪族基及びＣ６０−８０分岐鎖脂肪族基からなる群から選択される、請求項１３に記載のブロック共重合体。
【請求項１５】
【化１９２】
2016516879.tif 000018
は、１または複数個のアルキル置換基を有するＣ３−４０直鎖式炭素鎖、１乃至１２個のアルキル置換基を有するＣ４−４０直鎖式炭素鎖、各アルキル置換基が独立したＣ１−１２直鎖または分岐鎖アルキルである、１乃至１２個のアルキル置換基を有するＣ４−４０直鎖式炭素鎖、各アルキル置換基が独立したＣ１−６直鎖または分岐鎖アルキルである、１乃至６個のアルキル置換基を有するＣ４−２０直鎖式炭素鎖、各アルキル置換基が独立したＣ１−４直鎖または分岐鎖アルキルである、１乃至４個のアルキル置換基を有するＣ６−１２直鎖式炭素鎖、各アルキル置換基が独立したメチルまたはエチル基である、１乃至６個のアルキル置換基を有するＣ４−２０直鎖式炭素鎖からなる群から選択される、請求項１３に記載のブロック共重合体。
【請求項１６】
【化１９３】
2016516879.tif 000019
は、式
【化１９４】
2016516879.tif 000020
を有し、Ｒａ１及びＲａ２は各々、脂肪族基である、請求項１乃至６のいずれか一項に記載のブロック共重合体。
【請求項１７】
Ｒａ１及びＲａ２の各々は独立したＣ１−７８脂肪族基であり、Ｒａ１及びＲａ２が結合する炭素原子と一緒になるＲａ１及びＲａ２は少なくとも４個で８０個未満の炭素原子を含む、請求項１６に記載のブロック共重合体。
【請求項１８】
Ｒａ１及びＲａ２の少なくとも一は１つまたは複数の分岐点を含む、請求項１６に記載のブロック共重合体。
【請求項１９】
Ｒａ１及びＲａ２は、メチル、エチル、プロピル、ブチル、ｎ−ペンタン、ｎ−ヘキサン、ｎ−ヘプタン、ｎ−オクタン、いずれかのＣ９−４０ｎ−アルキル、イソプロピル、イソブチル、ｓｅｃ−ブチル、２−メチルブタン、３−メチルブタン、２−メチルペンタン、３−メチルペンタン、４−メチルペンタン、２−メチルヘキサン、３−メチルヘキサン、４−メチルヘキサン、５−メチルヘキサン、２−メチルヘプタン、３−メチルヘプタン、４−メチルヘプタン、５−メチルヘプタン、６−メチルヘプタン、２−メチルオクタン、３−メチルオクタン、４−メチルオクタン、５−メチルオクタン、６−メチルオクタン、７−メチルオクタン、２−メチルノナン、３−メチルノナン、４−メチルノナン、５−メチルノナン、６−メチルノナン、７−メチルノナン、８−メチルノナン、２−メチルデカン、３−メチルデカン、４−メチルデカン、５−メチルデカン、６−メチルデカン、７−メチルデカン、８−メチルデカン、９−メチルデカン、２−メチルウンデカン、３−メチルウンデカン、４−メチルウンデカン、５−メチルウンデカン、６−メチルウンデカン、７−メチルウンデカン、８−メチルウンデカン、９−メチルウンデカン、１０−メチルウンデカン、２−メチルドデカン、３−メチルドデカン、４−メチルドデカン、５−メチルドデカン、６−メチルドデカン、７−メチルドデカン、８−メチルドデカン、９−メチルドデカン、１０−メチルドデカン、１１−メチルドデカン、２−エチルブタン、２−エチルペンタン、３−エチルペンタン、２−エチルヘキサン、３−エチルヘキサン、４−エチルヘキサン、２−エチルヘプタン、３−エチルヘプタン、４−エチルヘプタン、５−エチルヘプタン、２−エチルオクタン、３−エチルオクタン、４−エチルオクタン、５−エチルオクタン、６−エチルオクタン、２−エチルノナン、３−エチルノナン、４−エチルノナン、５−エチルノナン、６−エチルノナン、７−エチルノナン、２−エチルデカン、３−エチルデカン、４−エチルデカン、５−エチルデカン、６−エチルデカン、７−エチルデカン、８−エチルデカン、２−エチルウンデカン、３−エチルウンデカン、４−エチルウンデカン、５−エチルウンデカン、６−エチルウンデカン、７−エチルウンデカン、８−エチルウンデカン、９−エチルウンデカン、２−エチルドデカン、３−エチルドデカン、４−エチルドデカン、５−エチルドデカン、６−エチルドデカン、７−エチルドデカン、８−エチルドデカン、９−エチルドデカン、及び１０−エチルドデカンからなる群から独立して選択される、請求項１６に記載のブロック共重合体。
【請求項２０】
Ｒａ１及びＲａ２は、Ｃ１−４直鎖または分岐鎖アルキルから独立して選択された１乃至２個の置換基を有するＣ５直鎖アルキル、Ｃ１−４直鎖または分岐鎖アルキルから独立して選択された１乃至３個の置換基を有するＣ６直鎖アルキル、Ｃ１−４直鎖または分岐鎖アルキルから独立して選択された１乃至３個の置換基を有するＣ７直鎖アルキル、Ｃ１−４直鎖または分岐鎖アルキルから独立して選択された１乃至４個の置換基を有するＣ８直鎖アルキル、Ｃ１−４直鎖または分岐鎖アルキルから独立して選択された１乃至４個の置換基を有するＣ６直鎖アルキル、Ｃ１−４直鎖または分岐鎖アルキルから独立して選択された１乃至４個の置換基を有するＣ１０直鎖アルキル、Ｃ１−４直鎖または分岐鎖アルキルから独立して選択された１乃至４個の置換基を有するＣ１１−１２直鎖アルキル、Ｃ１−４直鎖または分岐鎖アルキルから独立して選択された１乃至５個の置換基を有するＣ１２−１６直鎖アルキル、Ｃ１−４直鎖または分岐鎖アルキルから独立して選択された１乃至６個の置換基を有するＣ１６−２０直鎖アルキル、及びＣ１−４直鎖または分岐鎖アルキルから独立して選択された１乃至１２個の置換基を有するＣ２０−４０直鎖アルキルからなる群から選択される、請求項１６に記載のブロック共重合体。
【請求項２１】
２つまたは３つ以上のポリマーのブレンドの相溶化方法であって、請求項１乃至２０のいずれか一項に記載のブロック共重合体の有効量を前記ポリマーと混合するステップを有する、前記方法。
【請求項２２】
前記の２つまたは３つ以上のポリマーのブレンドは、少なくとも１つのポリオレフィン及び少なくとも１つの脂肪族ポリカーボネートを含む、請求項２１に記載の方法。
【請求項２３】
ポリオレフィンはポリエチレン及びポリプロピレンから選択される、請求項２２に記載の方法。
【請求項２４】
脂肪族ポリカーボネートは、ポリ（プロピレンカーボネート）、ポリ（エチレンカーボネート）、ポリ（シクロヘキセンカーボネート）、及び前記脂肪族ポリカーボネートの２つまたは３つ以上のブレンドまたは共重合体から選択される、請求項２２に記載の方法。
【手続補正２】
【補正対象書類名】明細書
【補正対象項目名】０００５
【補正方法】変更
【補正の内容】
【０００５】
特に、本発明は、炭化水素ブロック及び脂肪族ポリカーボネートブロックを含むブロック共重合体は、ＡＰＣのポリオレフィンとのブレンドを相溶化させる添加剤として有効であるという認識を含む。
本発明の実施形態において、例えば以下の項目が提供される。
（項目１）
式Ｉ
【化１７５】
2016516879.tif 000021
のブロック共重合体であって、部分
【化１７６】
2016516879.tif 000022
はＣＯ２の交互共重合体及び１つまたは複数のエポキシドを含み、部分
【化１７７】
2016516879.tif 000023
は飽和または不飽和炭化水素を含む、前記ブロック共重合体。
（項目２）
前記部分
【化１７８】
2016516879.tif 000024
は構造
【化１７９】
2016516879.tif 000025
を有する繰り返し単位を含み、Ｒ１、Ｒ２、Ｒ３及びＲ４は、ポリマー鎖における各発生において、−Ｈ、フッ素、任意に置換されるＣ１−４０脂肪族基、任意に置換されるＣ１−２０複素脂肪族基及び任意に置換されるアリール基からなる群から独立して選択され、Ｒ１、Ｒ２、Ｒ３及びＲ４のいずれか２つまたは３つ以上は、任意に介在原子と一緒になって、１つまたは複数のヘテロ原子を任意に含む１つまたは複数の任意に置換される環を形成してもよい、項目１に記載のブロック共重合体。
（項目３）
前記部分
【化１８０】
2016516879.tif 000026
は、二酸化炭素と、エチレンオキシド、プロピレンオキシド、１，２ブテンオキシド、１，２ヘキセンオキシド、高級アルファオレフィン（たとえば、Ｃ６−４０アルファオレフィン）のオキシド、ブタジエンモノエポキシド、エピクロロヒドリン、グリシドールのエーテルまたはエステル、シクロペンテンオキシド、シクロヘキセンオキシド、３−ビニルシクロヘキセンオキシド、３−エチルシクロヘキセンオキシド、及びそれらのいずれか２つまたは３つ以上の組み合わせからなる群から選択されるエポキシドとの共重合から得られる、項目１に記載のブロック共重合体。
（項目４）
前記部分
【化１８１】
2016516879.tif 000027
はプロピレンオキシド由来である、項目３に記載のブロック共重合体。
（項目５）
前記共重合体は式Ｐ１ａ
【化１８２】
2016516879.tif 000028
を有し、ここで、ｎは４乃至約５０００の整数であり、
Ｒ１ａは、前記ポリマー鎖における各発生において独立して、−Ｈ、−ＣＨ３、−ＣＨ２ＣＨ３、−ＣＨ２Ｃｌ、−ＣＨ２ＯＲｘ、−ＣＨ２ＯＣ（Ｏ）Ｒｘ及び−（ＣＨ２）ｑＣＨ３からなる群から選択され、各Ｒｘは、Ｃ１−２０脂肪族、Ｃ１−２０複素脂肪族、３乃至１４員炭素環、６乃至１０員アリール、５乃至１０員ヘテロアリール、３乃至１２員複素環からなる群から選択された、独立した、任意に置換された部分であり、ｑは２乃至４０の整数である、項目１に記載のブロック共重合体。
（項目６）
前記部分
【化１８３】
2016516879.tif 000029
は、約８０個超の炭素原子を有する炭化水素セグメントを含む、項目１乃至５のいずれか一項に記載のブロック共重合体。
（項目７）
【化１８４】
2016516879.tif 000030
は、ポリエチレン（ＰＥ）、ポリプロピレン（ＰＰ）、ポリイソブチレン（ＰＩＢ）、ポリメチルペンテン（ＰＭＰ）、ポリブテン−１（ＰＢ−１）、及び、互いにそれらのいずれかの、または、ブタジエン、高級アルファオレフィンもしくはスチレンなどの他のオレフィンとの共重合体からなる群から選択された炭化水素セグメントを含む、項目６に記載のブロック共重合体。
（項目８）
前記部分
【化１８５】
2016516879.tif 000031
は、Ｃ４乃至Ｃ８０脂肪族基を含む、項目１乃至５のいずれか一項に記載のブロック共重合体。
（項目９）
【化１８６】
2016516879.tif 000032
は、飽和Ｃ４乃至Ｃ８０脂肪族基を含む、項目８に記載のブロック共重合体。
（項目１０）
【化１８７】
2016516879.tif 000033
は、不飽和Ｃ４乃至Ｃ８０脂肪族基を含む、項目８に記載のブロック共重合体。
（項目１１）
【化１８８】
2016516879.tif 000034
は、複数の不飽和Ｃ４乃至Ｃ８０脂肪族基を含む、項目８に記載のブロック共重合体。
（項目１２）
【化１８９】
2016516879.tif 000035
は、直鎖Ｃ４乃至Ｃ８０脂肪族基を含む、項目８に記載のブロック共重合体。
（項目１３）
【化１９０】
2016516879.tif 000036
は、分岐鎖Ｃ４乃至Ｃ８０脂肪族基を含む、項目８に記載のブロック共重合体。
（項目１４）
【化１９１】
2016516879.tif 000037
は、Ｃ４−６分岐鎖脂肪族基、Ｃ７−１２分岐鎖脂肪族基、Ｃ１２−１６分岐鎖脂肪族基、Ｃ１６−２０分岐鎖脂肪族基、Ｃ２０−２４分岐鎖脂肪族基、Ｃ２４−２８分岐鎖脂肪族基、Ｃ２８−３６分岐鎖脂肪族基またはＣ３６−４０分岐鎖脂肪族基、Ｃ４０−６０分岐鎖脂肪族基及びＣ６０−８０分岐鎖脂肪族基からなる群から選択される、項目１３に記載のブロック共重合体。
（項目１５）
【化１９２】
2016516879.tif 000038
は、１または複数個のアルキル置換基を有するＣ３−４０直鎖式炭素鎖、１乃至１２個のアルキル置換基を有するＣ４−４０直鎖式炭素鎖、各アルキル置換基が独立したＣ１−１２直鎖または分岐鎖アルキルである、１乃至１２個のアルキル置換基を有するＣ４−４０直鎖式炭素鎖、各アルキル置換基が独立したＣ１−６直鎖または分岐鎖アルキルである、１乃至６個のアルキル置換基を有するＣ４−２０直鎖式炭素鎖、各アルキル置換基が独立したＣ１−４直鎖または分岐鎖アルキルである、１乃至４個のアルキル置換基を有するＣ６−１２直鎖式炭素鎖、各アルキル置換基が独立したメチルまたはエチル基である、１乃至６個のアルキル置換基を有するＣ４−２０直鎖式炭素鎖からなる群から選択される、項目１３に記載のブロック共重合体。
（項目１６）
【化１９３】
2016516879.tif 000039
は、式
【化１９４】
2016516879.tif 000040
を有し、Ｒａ１及びＲａ２は各々、脂肪族基である、項目１乃至６のいずれか一項に記載のブロック共重合体。
（項目１７）
Ｒａ１及びＲａ２の各々は独立したＣ１−７８脂肪族基であり、Ｒａ１及びＲａ２が結合する炭素原子と一緒になるＲａ１及びＲａ２は少なくとも４個で８０個未満の炭素原子を含む、項目１６に記載のブロック共重合体。
（項目１８）
Ｒａ１及びＲａ２の少なくとも一は１つまたは複数の分岐点を含む、項目１６に記載のブロック共重合体。
（項目１９）
Ｒａ１及びＲａ２は、メチル、エチル、プロピル、ブチル、ｎ−ペンタン、ｎ−ヘキサン、ｎ−ヘプタン、ｎ−オクタン、いずれかのＣ９−４０ｎ−アルキル、イソプロピル、イソブチル、ｓｅｃ−ブチル、２−メチルブタン、３−メチルブタン、２−メチルペンタン、３−メチルペンタン、４−メチルペンタン、２−メチルヘキサン、３−メチルヘキサン、４−メチルヘキサン、５−メチルヘキサン、２−メチルヘプタン、３−メチルヘプタン、４−メチルヘプタン、５−メチルヘプタン、６−メチルヘプタン、２−メチルオクタン、３−メチルオクタン、４−メチルオクタン、５−メチルオクタン、６−メチルオクタン、７−メチルオクタン、２−メチルノナン、３−メチルノナン、４−メチルノナン、５−メチルノナン、６−メチルノナン、７−メチルノナン、８−メチルノナン、２−メチルデカン、３−メチルデカン、４−メチルデカン、５−メチルデカン、６−メチルデカン、７−メチルデカン、８−メチルデカン、９−メチルデカン、２−メチルウンデカン、３−メチルウンデカン、４−メチルウンデカン、５−メチルウンデカン、６−メチルウンデカン、７−メチルウンデカン、８−メチルウンデカン、９−メチルウンデカン、１０−メチルウンデカン、２−メチルドデカン、３−メチルドデカン、４−メチルドデカン、５−メチルドデカン、６−メチルドデカン、７−メチルドデカン、８−メチルドデカン、９−メチルドデカン、１０−メチルドデカン、１１−メチルドデカン、２−エチルブタン、２−エチルペンタン、３−エチルペンタン、２−エチルヘキサン、３−エチルヘキサン、４−エチルヘキサン、２−エチルヘプタン、３−エチルヘプタン、４−エチルヘプタン、５−エチルヘプタン、２−エチルオクタン、３−エチルオクタン、４−エチルオクタン、５−エチルオクタン、６−エチルオクタン、２−エチルノナン、３−エチルノナン、４−エチルノナン、５−エチルノナン、６−エチルノナン、７−エチルノナン、２−エチルデカン、３−エチルデカン、４−エチルデカン、５−エチルデカン、６−エチルデカン、７−エチルデカン、８−エチルデカン、２−エチルウンデカン、３−エチルウンデカン、４−エチルウンデカン、５−エチルウンデカン、６−エチルウンデカン、７−エチルウンデカン、８−エチルウンデカン、９−エチルウンデカン、２−エチルドデカン、３−エチルドデカン、４−エチルドデカン、５−エチルドデカン、６−エチルドデカン、７−エチルドデカン、８−エチルドデカン、９−エチルドデカン、及び１０−エチルドデカンからなる群から独立して選択される、項目１６に記載のブロック共重合体。
（項目２０）
Ｒａ１及びＲａ２は、Ｃ１−４直鎖または分岐鎖アルキルから独立して選択された１乃至２個の置換基を有するＣ５直鎖アルキル、Ｃ１−４直鎖または分岐鎖アルキルから独立して選択された１乃至３個の置換基を有するＣ６直鎖アルキル、Ｃ１−４直鎖または分岐鎖アルキルから独立して選択された１乃至３個の置換基を有するＣ７直鎖アルキル、Ｃ１−４直鎖または分岐鎖アルキルから独立して選択された１乃至４個の置換基を有するＣ８直鎖アルキル、Ｃ１−４直鎖または分岐鎖アルキルから独立して選択された１乃至４個の置換基を有するＣ６直鎖アルキル、Ｃ１−４直鎖または分岐鎖アルキルから独立して選択された１乃至４個の置換基を有するＣ１０直鎖アルキル、Ｃ１−４直鎖または分岐鎖アルキルから独立して選択された１乃至４個の置換基を有するＣ１１−１２直鎖アルキル、Ｃ１−４直鎖または分岐鎖アルキルから独立して選択された１乃至５個の置換基を有するＣ１２−１６直鎖アルキル、Ｃ１−４直鎖または分岐鎖アルキルから独立して選択された１乃至６個の置換基を有するＣ１６−２０直鎖アルキル、及びＣ１−４直鎖または分岐鎖アルキルから独立して選択された１乃至１２個の置換基を有するＣ２０−４０直鎖アルキルからなる群から選択される、項目１６に記載のブロック共重合体。
（項目２１）
２つまたは３つ以上のポリマーのブレンドの相溶化方法であって、項目１乃至２０のいずれか一項に記載の化合物の有効量を前記ポリマーと混合するステップを有する、前記方法。
（項目２２）
前記の２つまたは３つ以上のポリマーのブレンドは、少なくとも１つのポリオレフィン及び少なくとも１つの脂肪族ポリカーボネートを含む、項目２１に記載の方法。
（項目２３）
ポリオレフィンはポリエチレン及びポリプロピレンから選択される、項目２２に記載の方法。
（項目２４）
脂肪族ポリカーボネートは、ポリ（プロピレンカーボネート）、ポリ（エチレンカーボネート）、ポリ（シクロヘキセンカーボネート）、及びそれらの２つまたは３つ以上のブレンドまたは共重合体から選択される、項目２２に記載の方法。